(57)【要約】【課題】第１遮光層と第２遮光層との境界が視認されてしまう可能性を低減する入力装置、表示装置、および電子機器を提供する。【解決手段】入力装置Ｘ１は、基体２と、非入力領域Ｅ２に対応する基体２上に設けられており、入力領域Ｅ１を取り囲むように位置する第１遮光層６と、非入力領域Ｅ２に対応する基体２上に設けられており、第１遮光層６を被覆しており、透光性を有した保護層１０と、保護層１０上に設けられており、入力領域Ｅ１を取り囲むように位置しており、平面視して一部１１ａが第１遮光層６よりも基体２の端面２Ｃ側に位置し残部１１ｂが第１遮光層６と重なる第２遮光層１１と、保護層１０に被覆されて設けられており、平面視して第２遮光層１１の一部１１ａと重なっており、基体２の端面２Ｃ側に位置する第１遮光層６の第１縁部６ａに沿って、入力領域Ｅ１を取り囲むように複数配置された遮光部材９と、を備える。【選択図】図４
2014038531.tif 000002
【特許請求の範囲】
【請求項１】
入力領域および非入力領域を有した入力装置であって、
主面および該主面に隣接する端面を有しており、透光性を有した基体と、
前記非入力領域に対応する前記基体の前記主面上に設けられており、前記入力領域を取り囲むように位置する第１遮光層と、
前記非入力領域に対応する前記基体の前記主面上に設けられており、前記第１遮光層を被覆しており、透光性を有した保護層と、
前記保護層上に設けられており、前記入力領域を取り囲むように位置しており、平面視して一部が前記第１遮光層よりも前記基体の前記端面側に位置し残部が前記第１遮光層と重なる第２遮光層と、
前記非入力領域に対応する前記基体の前記主面上において前記保護層に被覆されて設けられており、平面視して前記第２遮光層の前記一部と重なっており、前記基体の前記端面側に位置する前記第１遮光層の第１縁部に沿って、前記入力領域を取り囲むように複数配置された遮光部材と、を備えた入力装置。
【請求項２】
前記基体の前記主面上のうち平面視して前記第２遮光層の前記一部が位置する領域を、前記第１縁部に沿って３つの領域に等分割し、該３つの領域を前記第１縁部に近い側から、第１領域、第２領域、第３領域とするとき、
前記第１領域、前記第２領域、前記第３領域のそれぞれに位置する複数の前記遮光部材の平面視における総面積は、前記第１領域、前記第２領域、前記第３領域に向かうに従って、小さくなっている、請求項１に記載の入力装置。
【請求項３】
複数の前記遮光部材は、列状に複数配置された第１遮光部材、および、複数の前記第１遮光部材よりも前記基体の前記端面側に位置しておりかつ列状に複数配置された第２遮光部材を含んでおり、
隣り合う前記第１遮光部材の間の領域を部材間領域とするとき、
前記第２遮光部材は、前記部材間領域に隣り合って位置しており、
前記部材間領域に隣り合って位置する前記第２遮光部材の平面視における面積は、該部材間領域を挟んで隣り合う前記第１遮光部材の平面視における面積よりも小さい、請求項１または２に記載の入力装置。
【請求項４】
複数の前記遮光部材は、列状に複数配置された第１遮光部材、および、複数の前記第１遮光部材よりも前記基体の前記端面側に位置しておりかつ列状に複数配置された第２遮光部材を含んでおり、
複数の前記第２遮光部材の平均厚みは、複数の前記第１遮光部材の平均厚みよりも小さい、請求項１〜３のいずれか一項に記載の入力装置。
【請求項５】
前記遮光部材は、第２縁部および該第２縁部に取り囲まれた中央部を有しており、
前記第２縁部は、前記中央部に近づくにつれて厚みが大きくなっている、請求項１〜４のいずれか一項に記載の入力装置。
【請求項６】
前記第１縁部は、前記基体の前記端面に近づくにつれて厚みが小さくなっている、請求項１〜５のいずれか一項に記載の入力装置。
【請求項７】
前記基体の前記主面と前記遮光部材とがなす角部に位置する前記保護層の厚みは、前記遮光部材上に位置する前記保護層の厚みよりも大きい、請求項１〜６のいずれか一項に記載の入力装置。
【請求項８】
前記入力領域に対応する前記基体の前記主面上に設けられており、透光性を有した検出
電極をさらに備え、
前記保護層は、前記入力領域に対応する基体の主面上に延在しており、
延在した前記保護層は、前記検出電極を被覆している、請求項１〜７のいずれか一項に記載の入力装置。
【請求項９】
前記検出電極に電気的に接続されており、前記第１遮光層上に設けられた検出用配線をさらに備え、
前記検出用配線は、平面視して前記第２遮光層の前記残部に重なっている、請求項８に記載の入力装置。
【請求項１０】
前記検出用配線は、前記保護層に被覆されており、
前記第２遮光層は、導電性を有する、請求項９に記載の入力装置。
【請求項１１】
前記第１遮光層の構成材料は、前記遮光部材の構成材料と同じである、請求項１〜１０のいずれか一項に記載の入力装置。
【請求項１２】
請求項１〜１１のいずれか一項に記載の入力装置と、
前記入力装置に対向して配置された表示パネルと、
前記表示パネルを収容した筺体と、を備えた表示装置。
【請求項１３】
請求項１２に記載の表示装置を備えた電子機器。
【発明の詳細な説明】
【技術分野】
【０００１】
本発明は、入力装置、表示装置、および電子機器に関する。
【背景技術】
【０００２】
従来から、入力装置としては、指と検出電極との間における静電容量の変化を捉えて入力位置を検出する静電容量方式のタッチパネルが知られている。このような入力装置は、入力領域および非入力領域を有している。また、非入力領域に対応する基体上には、入力領域を取り囲むように第１遮光層が設けられており、当該第１遮光層を被覆して保護層が設けられている（例えば、特許文献１参照）。また、保護層上には、入力領域を取り囲むように第２遮光層が設けられている。第２遮光層は、平面視して、一部が第１遮光層よりも基体の端面側に位置しており、残部が第１遮光層と重なって位置している。
【先行技術文献】
【特許文献】
【０００３】
【特許文献１】特開２００９−３０１７６７号公報
【発明の概要】
【発明が解決しようとする課題】
【０００４】
ところで、上記従来の入力装置では、第２遮光層は、保護層上に設けられているため、第１遮光層に比して、基体からの距離が遠いことになる。このため、第１遮光層と第２遮光層とは、互いに同じ色相を有していたとしても、光の反射あるいは屈折の度合いが異なることによって、使用者に視認される色味が互いに異なる可能性があった。使用者に視認される色味が互いに異なると、平面視した場合に、第１遮光層から第２遮光層へ変化する部分、および、第２遮光層から第１遮光層へ変化する部分において、色味が大きく変化し、第１遮光層と第２遮光層との境界が視認されてしまう可能性があった。
【０００５】
本発明は、このような事情を鑑みてなされたものであり、その目的は、第１遮光層と第２遮光層との境界が視認されてしまう可能性を低減することができる入力装置、表示装置、および電子機器に関する。
【課題を解決するための手段】
【０００６】
本発明の入力装置における一態様は、入力領域および非入力領域を有した入力装置であって、主面および該主面に隣接する端面を有しており、透光性を有した基体と、前記非入力領域に対応する前記基体の前記主面上に設けられており、前記入力領域を取り囲むように位置する第１遮光層と、前記非入力領域に対応する前記基体の前記主面上に設けられており、前記第１遮光層を被覆しており、透光性を有した保護層と、前記保護層上に設けられており、前記入力領域を取り囲むように位置しており、平面視して一部が前記第１遮光層よりも前記基体の前記端面側に位置し残部が前記第１遮光層と重なる第２遮光層と、前記非入力領域に対応する前記基体の前記主面上において前記保護層に被覆されて設けられており、平面視して前記第２遮光層の前記一部と重なっており、前記基体の前記端面側に位置する前記第１遮光層の第１縁部に沿って、前記入力領域を取り囲むように複数配置された遮光部材と、を備える。
【０００７】
本発明の表示装置における一態様は、本発明に係る入力装置と、前記入力装置に対向して配置された表示パネルと、前記表示パネルを収容した筺体と、を備える。
【０００８】
本発明の電子機器における一態様は、本発明に係る表示装置を備える。
【発明の効果】
【０００９】
本発明の入力装置、表示装置、および電子機器は、第１遮光層と第２遮光層との境界が視認されてしまう可能性を低減することができる、という効果を奏する。
【図面の簡単な説明】
【００１０】
【図１】本実施形態に係る入力装置の概略構成を示す平面図である。
【図２】図１中に示したＩ−Ｉ線断面図である。
【図３】図１中に示したＩＩ−ＩＩ線断面図である。
【図４】本実施形態に係る入力装置の概略構成を示す平面図であって、基体、第１遮光層、第２遮光層、および遮光部材のみを示した図である。
【図５】図１および図４中に示したＩＩＩ−ＩＩＩ線断面図である。
【図６】本実施形態に係る表示装置の概略構成を示す断面図である。
【図７】本実施形態に係る携帯端末の概略構成を示す斜視図である。
【図８】変形例１に係る入力装置の概略構成を示す平面図であって、基体、第１遮光層、第２遮光層、および遮光部材のみを示した図である。
【図９】図８中に示したＩＶ−ＩＶ線断面図である。
【図１０】変形例２に係る入力装置の概略構成を示す平面図であって、基体、第１遮光層、第２遮光層、および遮光部材のみを示した図である。
【図１１】図１０中に示したＶ−Ｖ線断面図である。
【図１２】変形例３に係る入力装置の概略構成を示す平面図であって、基体、第１遮光層、第２遮光層、および遮光部材のみを示した図である。
【図１３】図１２中に示したＶＩ−ＶＩ線断面図である。
【図１４】変形例４に係る入力装置の概略構成を示す平面図であって、基体、第１遮光層、第２遮光層、および遮光部材のみを示した図である。
【図１５】図１４中に示したＶＩＩ−ＶＩＩ線断面図である。
【発明を実施するための形態】
【００１１】
以下、本発明の実施形態について、図面を参照しながら説明する。
【００１２】
但し、以下で参照する各図は、説明の便宜上、本発明の一実施形態の構成部材のうち、本発明を説明するために必要な主要部材を簡略化して示したものである。したがって、本発明に係る入力装置、表示装置、および電子機器は、本明細書が参照する各図に示されていない任意の構成部材を備え得る。
【００１３】
図１に示すように、本実施形態に係る入力装置Ｘ１は、投影型の静電容量方式のタッチパネルであって、入力領域Ｅ１および非入力領域Ｅ２を有している。入力領域Ｅ１は、使用者が入力操作を行うことができる領域である。非入力領域Ｅ２は、使用者が入力操作を行うことができない領域である。非入力領域Ｅ２は、入力領域Ｅ１を取り囲むように当該入力領域Ｅ１の外側に位置している。
【００１４】
なお、入力装置Ｘ１は、投影型の静電容量方式のタッチパネルに限らず、例えば、表面型の静電容量方式のタッチパネル、抵抗膜方式のタッチパネル、表面弾性波方式のタッチパネル、光学方式のタッチパネル、あるいは電磁誘導方式のタッチパネルであってもよい。
【００１５】
図１〜５に示すように、入力装置Ｘ１は、基体２、第１検出電極パターン３、第２検出電極パターン４、絶縁体５、第１遮光層６、被覆層７、検出用配線８、遮光部材９、保護層１０、第２遮光層１１、および保護シート１２を備えている。
【００１６】
なお、図１では、説明の便宜上、絶縁体５および遮光部材９の図示は省略する。また、図５は、図１および図４に示したＩＩＩ−ＩＩＩ線断面図である。すなわち、図１に示したＩＩＩ−ＩＩＩ線と、図４に示したＩＩＩ−ＩＩＩ線とは、同一箇所を示している。
【００１７】
基体２は、第１検出電極パターン３、第２検出電極パターン４、および絶縁体５を支持する役割を有する。基体２は、第１主面２Ａ、第２主面２Ｂ、および端面２Ｃを有する。第１主面２Ａは、第２主面２Ｂよりも使用者側に位置している。第２主面２Ｂは、第１主面２Ａの反対側に位置している。端面２Ｃは、第１主面２Ａおよび第２主面２Ｂに隣接している。基体２は、絶縁性を有するとともに、基体２の第１主面２Ａおよび第２主面２Ｂに交差する方向に入射する光に対して透光性を有する。基体２の構成材料としては、例えば、ガラスあるいはプラスチックが挙げられる。
【００１８】
第１検出電極パターン３は、入力領域Ｅ１に対応する基体２の第１主面２Ａに接近した使用者の指Ｆ１との間において静電容量を発生し、Ｙ方向における入力位置を検出する役割を有する。第１検出電極パターン３は、入力領域Ｅ１に対応する基体２の第２主面２Ｂ上に、Ｙ方向に並んで複数設けられている。また、第１検出電極パターン３は、第１検出電極３ａおよび第１電極間配線３ｂを有する。
【００１９】
第１検出電極３ａは、使用者の指Ｆ１との間において静電容量を発生する役割を有する。第１検出電極３ａは、Ｘ方向に並んで複数設けられている。第１電極間配線３ｂは、第１検出電極３ａ同士を電気的に接続する役割を有する。第１電極間配線３ｂは、互いに隣り合う第１検出電極３ａの間に設けられている。
【００２０】
第２検出電極パターン４は、入力領域Ｅ１に対応する基体２の第１主面２Ａに接近した使用者の指Ｆ１との間において静電容量を発生し、Ｘ方向における入力位置を検出する役割を有する。第２検出電極パターン４は、入力領域Ｅ１に対応する基体２の第２主面２Ｂ上に、Ｘ方向に並んで複数設けられている。また、第２検出電極パターン４は、第２検出電極４ａおよび第２電極間配線４ｂを有する。
【００２１】
第２検出電極４ａは、使用者の指Ｆ１との間において静電容量を発生する役割を有する。第２検出電極４ａは、Ｙ方向に並んで複数設けられている。第２電極間配線４ｂは、第２検出電極４ａ同士を電気的に接続する役割を有する。第２電極間配線４ｂは、互いに隣り合う第２検出電極４ａの間において、第１電極間配線３ｂと電気的に絶縁するように、絶縁体５を跨いで当該絶縁体５上に設けられている。ここで、絶縁体５は、第１電極間配線３ｂを覆うように基体２の第２主面２Ｂ上に設けられている。絶縁体５の構成材料としては、例えば、アクリル樹脂、エポキシ樹脂、シリコーン樹脂、二酸化ケイ素、あるいは窒化珪素等の透明樹脂が挙げられる。なお、図２では、絶縁体５の図示は省略している。
【００２２】
上述の第１検出電極パターン３および第２検出電極パターン４の構成材料としては、透光性を有する導電性部材が挙げられる。透光性を有する導電性部材としては、例えば、ＩＴＯ（Indium Tin Oxide）、ＩＺＯ（Indium Zinc Oxide）、ＡＴＯ（Al-Doped Zinc Oxide）、酸化錫、酸化亜鉛、あるいは導電性高分子が挙げられる。
【００２３】
第１検出電極パターン３および第２検出電極パターン４の形成方法としては、例えば、上述の材料をスパッタリング法、蒸着法、あるいはＣＶＤ（Chemical Vapor Deposition
）法によって基体２の第２主面２Ｂ上に成膜する。そして、この膜の表面に感光性樹脂を塗布し、露光、現像、エッチング工程を経て、膜がパターニングされることで、第１検出電極パターン３および第２検出電極パターン４が形成される。
【００２４】
第１遮光層６は、入力装置Ｘ１が表示装置Ｙ１に組み込まれた場合に（図６参照）、バ
ックライト３００から入力装置Ｘ１に入射する光を遮光する役割を有する。なお、本実施形態における「遮光」とは、反射あるいは吸収によって可視光の一部または全部を遮蔽することを意味する。第１遮光層６は、非入力領域Ｅ２に対応する基体２の第２主面２Ｂ上に設けられている。第１遮光層６は、入力領域Ｅ１を取り囲むように位置している。また、第１遮光層６は、基体２の第２主面２Ｂ側の外縁を含む第１縁部６ａを有している。
【００２５】
第１遮光層６の構成材料としては、樹脂材料に着色材料を含んだものが挙げられる。樹脂材料としては、例えば、アクリル系樹脂、エポキシ系樹脂、あるいはシリコーン系樹脂が挙げられる。着色材料としては、例えば、カーボン、チタン、あるいはクロムが挙げられる。なお、第１遮光層６は、黒色に限らず、黒色以外の色を着色していてもよい。第１遮光層６の形成方法としては、例えば、スクリーン印刷法、スパッタリング法、ＣＶＤ法、あるいは蒸着法が挙げられる。
【００２６】
なお、第１遮光層６の第１縁部６ａは、基体２の端面２Ｃから所定距離以上離れて位置している。このため、入力装置Ｘ１の製造工程において、歩留まりが低下してしまう可能性を低減することができる。具体的には、後述する第２遮光層１１および保護シート１２を基体２上に設ける前の構造体において、基体２の端面２Ｃを研磨する場合、まず、紫外線硬化樹脂を介して構造体を積層し、当該紫外線硬化樹脂を硬化させることにより、複数の構造体の積層体を生成する。次に、積層体の端面をフッ酸によってエッチングすることで、一度の処理で複数の構造体における基体２の端面２Ｃを加工する。ここで、当該構造体は、第１遮光層６の第１縁部６ａが、基体２の端面２Ｃから所定距離以上離れて位置しているため、基体２の端面２Ｃと第１遮光層６の第１縁部６ａとの間の領域に位置する紫外線硬化樹脂を十分に硬化させることができる。このため、積層体の端面をエッチングする際に、構造体と紫外線硬化樹脂との間にフッ酸が侵入し、第１検出電極パターン３、第２検出電極パターン４、第１遮光層６、あるいは検出用配線８が腐食してしまう可能性を低減することができる。
【００２７】
被覆層７は、第１遮光層６を保護する役割を有する。ここで、第１遮光層６を保護する役割としては、例えば、第１遮光層６を水分の吸湿による腐食から保護する役割、あるいは、第１遮光層６の材質が変質してしまう可能性を低減する役割が挙げられる。被覆層７は、非入力領域Ｅ２に対応する基体２の第２主面２Ｂ上に設けられており、第１遮光層６を被覆している。被覆層７の構成材料としては、例えば、アクリル系樹脂、シリコーン系樹脂、ゴム系樹脂、ウレタン系樹脂、あるいは、ケイ素を含む無機化合物が挙げられる。被覆層７の形成方法としては、例えば、転写印刷法、スピンコート法、あるいはスリットコート法が挙げられる。
【００２８】
検出用配線８は、第１検出電極パターン３および第２検出電極パターン４と指Ｆ１との間において発生した静電容量の変化を検出する役割を有する。検出用配線８は、被覆層７上に位置している。このため、検出用配線８と第１遮光層６とが接触することによって、当該第１遮光層６の材質が変質してしまう可能性を低減することができる。また、第１遮光層６が導電性を有していた場合に、検出用配線８と第１遮光層６とが接触することによって、検出用配線８同士が互いに電気的に導通してしまう可能性を低減することができる。なお、被覆層７はなくともよく、検出用配線８は、第１遮光層６上に直接設けられていてもよい。検出用配線８の一端は、第１検出電極パターン３および第２検出電極パターン４に電気的に接続されている。検出用配線８の他端は、外部導通領域Ｇ１に位置している。
【００２９】
検出用配線８は、硬質で高い形状安定性を得るべく、金属薄膜で形成される。金属薄膜の構成材料としては、例えば、アルミニウム膜、アルミニウム合金膜、クロム膜とアルミニウム膜との積層膜、クロム膜とアルミニウム合金膜との積層膜、銀膜、銀合金膜、ある
いは金合金膜が挙げられる。金属薄膜の形成方法としては、例えば、スパッタリング法、ＣＶＤ法、あるいは蒸着法が挙げられる。
【００３０】
遮光部材９は、非入力領域Ｅ２に対応する基体２の第２主面２Ｂ上に設けられている。遮光部材９は、第１遮光層６よりも基体２の端面２Ｃ側に位置している。また、遮光部材９は、第１遮光層６の第１縁部６ａに沿って、入力領域Ｅ１を取り囲むように複数配置されている。
【００３１】
なお、本実施形態では、遮光部材９は、列状に複数配置されているが、これに限定されない。遮光部材９は、蛇行状に複数配置されていてもよいし、ランダムに複数配置されていてもよい。また、本実施形態では、遮光部材９は、平面視して楕円形状をなしているが、これに限らず、円形状あるいは矩形状等であってもよい。
【００３２】
遮光部材９の構成材料および形成方法としては、第１遮光層６と同様のものが挙げられる。なお、本実施形態では、遮光部材９は、第１遮光層６と同一の構成材料からなる。
【００３３】
保護層１０は、第１遮光層６、遮光部材９、および検出用配線８を水分の吸湿による腐食から保護する役割を有する。保護層１０は、非入力領域Ｅ２に対応する基体２の第２主面２ｂ上に設けられている。また、保護層１０は、第１遮光層６、遮光部材９、および検出用配線８を被覆している。保護層１０の構成材料としては、例えば、透光性を有する無機材料が挙げられる。透光性を有する無機材料としては、例えば、二酸化ケイ素あるいは窒化ケイ素が挙げられる。保護層１０を形成する方法としては、例えば、スパッタリング法、イオンプレーティング法、スクリーン印刷法、あるいはインクジェット印刷法が挙げられる。
【００３４】
なお、保護層１０は、基体２の端面２Ｃに隣接して位置している。より詳細には、保護層１０は、非入力領域Ｅ２に対応する基体２の第２主面２Ｂ上の全領域に位置しており、第１遮光層６、被覆層７、検出用配線８、および遮光部材９を被覆している。このため、入力装置Ｘ１の製造工程において、歩留まりが低下してしまう可能性を低減することができる。
【００３５】
具体的には、上述したように、入力装置Ｘ１の製造工程において、紫外線硬化樹脂を介して構造体を積層した積層体を製造し、当該積層体の端面をフッ酸によってエッチングすることで、複数の構造体における基体２の端面２Ｃを加工する。その後、積層体から紫外線硬化樹脂を取り剥がし、複数の構造体に分離することによって、複数の入力装置Ｘ１を製造する。ここで、入力装置Ｘ１では、保護層１０は、非入力領域Ｅ２に対応する基体２の第２主面２Ｂ上の全領域に位置しており、第１遮光層６、被覆層７、検出用配線８、および遮光部材９を被覆している。このため、非入力領域Ｅ２において、紫外線硬化樹脂が、保護層１０以外の部材と接する可能性を低減することができる。そのため、積層体から紫外線硬化樹脂を取り剥がす際に、当該紫外線硬化樹脂が入力装置Ｘ１上に残留してしまう可能性を低減することができる。
【００３６】
第２遮光層１１は、入力装置Ｘ１が表示装置Ｙ１に組み込まれた場合に、バックライト３００から入力装置Ｘ１に入射する光を遮光する役割を有する。第２遮光層１１は、非入力領域Ｅ２に対応する保護層１０上に設けられている。第２遮光層１１は、入力領域Ｅ１を取り囲むように位置している。第２遮光層１１の構成材料および形成方法としては、第１遮光層６と同様のものが挙げられる。なお、第２遮光層１１は、第１遮光層６と同様の色相を有することが好ましい。
【００３７】
第２遮光層１１は、一部１１ａおよび残部１１ｂを有する。
【００３８】
第２遮光層１１の一部１１ａは、平面視して第１遮光層６よりも基体２の端面２Ｃ側に位置している。具体的には、第２遮光層１１の一部１１ａは、平面視して基体２の端面２Ｃと第１遮光層６の第１縁部６ａとの間の領域に位置している。また、第２遮光層１１の一部１１ａは、平面視して複数の遮光部材９と重なっている。
【００３９】
第２遮光層１１の残部１１ｂは、平面視して第１遮光層６と重なっている。なお、入力装置Ｘ１では、第２遮光層１１の残部１１ｂは、平面視して第１遮光層６の全部と重なっているが、これに限らず、第１遮光層６の第１縁部６ａのみと重なっていてもよい。
【００４０】
このように、入力装置Ｘ１では、第２遮光層１１の一部１１ａは、平面視して複数の遮光部材９と重なっている。このため、入力装置Ｘ１では、第１遮光層６と第２遮光層１１との境界が視認されてしまう可能性を低減することができる。
【００４１】
具体的には、第１遮光層の第１縁部は、上述したように、基体の端面を加工する目的で、基体の端面から所定距離以上離れて設けられている。このため、入力装置が表示装置に組み込まれた場合に、バックライトから入力装置に入射した光が、第１遮光層の第１縁部と基体の端面との間の領域から漏れてしまう可能性があった。また、保護層は、入力装置上に紫外線硬化樹脂が残留する可能性を低減する目的で、非入力領域に対応する基体の第２主面上の全領域に設けられており、第１遮光層を覆っている。このため、第１遮光層の第１縁部と基体の端面との間の領域から光が漏れてしまう可能性を低減するためには、当該領域に対応する保護層上に、第２遮光層を設ける必要があった。しかしながら、第２遮光層が保護層上に設けられていると、第２遮光層は、第１遮光層に比して、基体からの距離が遠いことになる。このため、第１遮光層と第２遮光層とは、互いに同じ色相を有していたとしても、光の反射あるいは屈折の度合いが異なることによって、使用者に視認される色味が互いに異なる可能性があった。使用者に視認される色味が互いに異なると、平面視した場合に、第１遮光層の縁部から第２遮光層の一部へ変化する部分、および、第２遮光層１１の一部１１ａから第１遮光層６の第１縁部６ａに変化する部分において、色味が大きく変化してしまう可能性があった。
【００４２】
そこで、入力装置Ｘ１では、遮光部材９は、基体２の第２主面２Ｂ上において、保護層１０に被覆されて設けられている。また、遮光部材９は、第１遮光層６の第１縁部６ａに沿って入力領域Ｅ１を取り囲むように複数配置されている。また、遮光部材９は、平面視して第２遮光層１１に重なって位置している。このため、平面視した場合に、第１遮光層６の第１縁部６ａから第２遮光層１１の一部１１ａへ変化する部分、および、第２遮光層１１の一部１１ａから第１遮光層６の第１縁部６ａに変化する部分において、色味が大きく変化してしまう可能性を低減することができる。このため、入力装置Ｘ１では、第第１遮光層６と第２遮光層１１との境界が視認されてしまう可能性を低減することができる。
【００４３】
なお、入力装置Ｘ１では、複数の遮光部材９は、基体２の端面２Ｃと第１遮光層６の第１縁部６ａとの間の領域に対応する基体２の第２主面２Ｂ上の一部の領域に設けられている。具体的には、遮光部材９は、当該領域に対応する基体２の第２主面２Ｂ上において、互いに離間して複数配置されている。すなわち、当該領域に対応する基体２の第２主面２Ｂ上には、遮光部材９が配置されていない領域が存在することになる。このため、入力装置Ｘ１の製造工程において、積層体を製造する際に、基体２の端面２Ｃと第１遮光層６の第１縁部６ａとの間の領域のうち、遮光部材９が配置されていない領域から紫外線を照射することで、紫外線硬化樹脂を硬化することができる。このため、基体２の端面２Ｃと第１遮光層６の第１縁部６ａとの間の領域において、紫外線硬化樹脂が十分に硬化せず、歩留まりが低下してしまう可能性を低減することができる。
【００４４】
また、本実施形態のように、第１遮光層６の構成材料は、遮光部材９の構成材料と同一であることが好ましい。第１遮光層６と遮光部材９とが同一の構成材料からなると、第１遮光層６と遮光部材９とが同一の色相を有することになり、第１遮光層６と第２遮光層１１との境界が視認されてしまう可能性をより低減することができる。
【００４５】
また、本実施形態のように、遮光部材９は、平面視して外縁が曲線状であることが好ましい。遮光部材９の外縁が曲線状であると、第２遮光層１１と遮光部材９との色味が異なることによって、遮光部材９の外縁が使用者に視認されてしまう可能性を低減することができる。
【００４６】
また、本実施形態のように、保護層１０は、入力領域Ｅ１に対応する基体２の第２主面２Ｂ上に延在しており、延在した保護層１０が、第１検出電極パターン３および第２検出電極パターン４を被覆していることが好ましい。保護層１０が第１検出電極パターン３および第２検出電極パターン４を被覆していると、第１検出電極パターン３および第２検出電極パターン４が水分の吸湿によって腐食してしまう可能性を低減することができる。
【００４７】
また、本実施形態のように、検出用配線８は、第１遮光層６上に設けられており、平面視して第２遮光層１１の残部１１ｂと重なっていることが好ましい。具体的には、検出用配線８は、平面視して第１遮光層６と第２遮光層１１の残部１１ｂとが重なる領域に対応する被覆層７上に設けられていることが好ましい。検出用配線８が第１遮光層６と第２遮光層１１の残部１１ｂとが重なる領域に位置していると、入力装置Ｘ１が表示装置Ｙ１に組み込まれた場合に、バックライト３００から入力装置Ｘ１に入射した光の光量が相対的に大きい場合であっても、検出用配線８が使用者に視認されてしまう可能性を低減することができる。
【００４８】
また、第２遮光層１１は、導電性を有することが好ましい。第２遮光層１１が導電性を有すると、入力装置Ｘ１が表示装置Ｙ１に組み込まれた場合に、入力装置Ｘ１の周囲に位置する電子部材から発生したノイズを、第２遮光層１１の残部１１ｂによって遮蔽することができる。このため、当該ノイズが、第２遮光層１１の残部１１ｂと重なって位置する検出用配線８に混入してしまう可能性を低減することができる。
【００４９】
保護シート１２は、使用者の指Ｆ１の接触によって基体２の第１主面２Ａを傷付けないように保護する役割を有する。保護シート１２は、図示しない粘着材を介して、入力領域Ｅ１および非入力領域Ｅ２に対応する基体２の第１主面２Ａの全面に亘って設けられている。なお、保護シート１２は、入力領域Ｅ１に対応する基体２の第１主面２Ａ上にのみ設けられていてもよい。保護シート１２の構成材料としては、例えば、ガラスあるいはプラスチックが挙げられる。
【００５０】
次に、入力装置Ｘ１の検出原理について説明する。
【００５１】
図示しない位置検出ドライバは、図示しないフレキシブル基板を介して、外部導通領域Ｇ１に位置する検出用配線８の他端に電気的に接続されている。位置検出ドライバは、例えば、フレキシブル基板上、あるいは表示装置Ｙ１の回路基板４００上に設けられている。また、位置検出ドライバは、電源装置を備えている。電源装置は、検出用配線８を介して、第１検出電極パターン３および第２検出電極パターン４に電圧を供給している。ここで、入力領域Ｅ１に対応する基体２の第１主面２Ａに、保護シート１２を介して導電体である指Ｆ１が近接、接触、または押圧すると、指Ｆ１と第１検出電極パターン３および第２検出電極パターン４との間において静電容量が発生する。位置検出ドライバは、第１検出電極パターン３および第２検出電極パターン４において発生する静電容量を常に検出しており、所定値以上の静電容量を検出した第１検出電極パターン３および第２検出電極パ
ターン４の組合せによって、使用者が入力操作を行った入力位置を検出する。このようにして、入力装置Ｘ１は、入力位置を検出することができる。
【００５２】
以上のように、入力装置Ｘ１では、第１遮光層６と第２遮光層１１との境界が視認されてしまう可能性を低減することができる。
【００５３】
次に、入力装置Ｘ１を備えた表示装置Ｙ１について、図６を参照しながら説明する。ここで、図６は、表示装置Ｙ１の概略構成を示す断面図である。
【００５４】
図６に示すように、本実施形態に係る表示装置Ｙ１は、入力装置Ｘ１、第１筐体１００、表示パネル２００、バックライト３００、および回路基板４００を備えている。
【００５５】
入力装置Ｘ１は、第１筐体１００に収容されている。第１筐体１００の構成材料としては、例えば、ポリカーボネート等の樹脂、あるいは、ステンレス、アルミニウム等の金属が挙げられる。また、入力装置Ｘ１は、第１筐体１００の支持部１０１上に設けられている。
【００５６】
表示パネル２００は、画像あるいは動画を表示する役割を有する。表示パネル２００は入力装置Ｘ１に対向して配置され、第１筐体１００に収容されている。なお、入力装置Ｘ１および表示パネル２００は、所定の間隔をあけて配置されているが、これに限らず、入力装置Ｘ１が固定部材を介して表示パネル２００上に設けられていてもよい。固定部材としては、例えば、両面テープ、熱硬化性樹脂、紫外線硬化性樹脂、あるいはねじ等の止め具が挙げられる。なお、本実施形態に係る表示パネル２００は、液晶構造体を用いた液晶パネルであるが、これに限らず、プラズマディスプレイ、有機ＥＬディスプレイ、ＦＥＤ（Field Emission Display）、ＳＥＤ（Surface-conduction Electron-emitter Display
）、あるいは電子ペーパであってもよい。
【００５７】
バックライト３００は、表示パネル２００の下面全体にわたって、光を入射する役割を有する。バックライト３００は、表示パネル２００の後方に配置されている。バックライト３００は、光源３０１および導光板３０２を備えている。光源３０１は、導光板３０２に向けて光を出射する役割を担う部材であり、ＬＥＤ（Light Emitting Diode）から構成されている。なお、光源３０１はＬＥＤから構成されていなくともよく、例えば、冷陰極蛍光ランプ、ハロゲンランプ、キセノンランプあるいはＥＬ（Electro-Luminescence）から構成されてもよい。導光板３０２は、表示パネル２００の下面全体にわたって、光源３０１からの光を略均一に導くための役割を担う部材である。なお、表示パネル２００の代わりに自発光素子を用いた表示パネルを用いる場合は、バックライト３００はなくともよい。
【００５８】
回路基板４００は、表示パネル２００およびバックライト３００を制御する制御回路、抵抗器、あるいはコンデンサ等の電子部品を支持する役割を有する。回路基板４００は、バックライト３００の後方に配置されている。回路基板４００上に位置する制御回路は、図示しないフレキシブル基板によって、表示パネル２００およびバックライト３００と電気的に接続されている。
【００５９】
このように、表示装置Ｙ１は、表示パネル２００を、入力装置Ｘ１を介して透視しながら、入力装置Ｘ１の入力領域Ｅ１を入力操作することによって、各種の情報を入力することができる。なお、各種の情報を入力する際に、情報を入力した使用者に対して、押圧感、なぞり感、肌触り感等の様々な触感を呈示する機能を入力装置Ｘ１に付与してもよい。この場合、入力装置Ｘ１における基体２に、１または複数の振動体（例えば、圧電素子等）を備え、所定の入力操作あるいは所定の押圧荷重を検知した場合に、当該振動体を所定
の周波数で振動させることで実現することができる。
【００６０】
以上のように、表示装置Ｙ１では、入力装置Ｘ１を備えているため、第１遮光層６と第２遮光層１１との境界が視認されてしまう可能性を低減することができる。
【００６１】
次に、表示装置Ｙ１を備えた携帯端末Ｚ１について、図７を参照しながら説明する。
【００６２】
図７に示すように、本実施形態に係る携帯端末Ｚ１は、スマートフォン端末である。なお、携帯端末Ｚ１は、スマートフォン端末に限らず、例えば、携帯電話、タブレット端末、あるいはＰＤＡ（Personal Digital Assistant）等の電子機器であってもよい。
【００６３】
携帯端末Ｚ１は、表示装置Ｙ１、音声入力部５０１、音声出力部５０２、キー入力部５０３、および第２筐体５０４を備えている。
【００６４】
音声入力部５０１は、使用者の音声等を入力する役割を有し、マイク等により構成されている。音声出力部５０２は、相手方からの音声等を出力する役割を有し、電磁スピーカあるいは圧電スピーカ等により構成されている。キー入力部５０３は、機械的なキーにより構成されている。キー入力部５０３は、表示画面に表示された操作キーであってもよい。第２筐体５０４は、表示装置Ｙ１、音声入力部５０１、音声出力部５０２、およびキー入力部５０３を収容する役割を有する。なお、第２筐体５０４はなくともよく、表示装置Ｙ１の第１筐体１００に音声入力部５０１、音声出力部５０２、およびキー入力部５０３が収容されていてもよい。第２筐体５０４の構成材料としては、第１筐体１００と同様のものが挙げられる。
【００６５】
他にも、携帯端末Ｚ１は、必要な機能に応じて、デジタルカメラ機能部、ワンセグ放送用チューナ、赤外線通信機能部等の近距離無線通信部、無線ＬＡＮモジュール、および各種インタフェース等を備える場合もあるが、これらの詳細についての図示および説明は省略する。
【００６６】
以上のように、携帯端末Ｚ１は、表示装置Ｙ１を備えているため、第１遮光層６と第２遮光層１１との境界が視認されてしまう可能性を低減することができる。
【００６７】
ここで、表示装置Ｙ１は、上記の携帯端末Ｚ１の代わりに、電子手帳、パーソナルコンピュータ、複写機、ゲーム用の端末装置、テレビ、デジタルカメラ、あるいは産業用途で使用されるプログラマブル表示器等の様々な電子機器に備えられていてもよい。
【００６８】
なお、上述した実施形態は、本発明の実施形態の一具体例を示したものであり、種々の変形が可能である。以下、いくつかの主な変形例を示す。
【００６９】
［変形例１］
図８は、変形例１に係る入力装置Ｘ２の概略構成を示す平面図である。図９は、図８中に示したＩＶ−ＩＶ線断面図である。なお、図８および図９において、図４および図５と同様の機能を有する構成については、同じ参照符号を付記し、その詳細な説明は省略する。また、図８では、説明の便宜上、基体２、第１遮光層６、遮光部材２１、および第２遮光層１１のみ図示する。
【００７０】
図８および図９に示すように、入力装置Ｘ２では、入力装置Ｘ１が備える遮光部材９の代わりに、遮光部材２１を備えている。遮光部材２１は、非入力領域Ｅ２に対応する基体２の第２主面２Ｂ上に設けられている。遮光部材２１は、第１遮光層６よりも基体２の端面２Ｃ側に位置している。また、遮光部材２１は、第１遮光層６の第１縁部６ａに沿って
、入力領域Ｅ１を取り囲むように複数配置されている。
【００７１】
遮光部材２１は、列状に複数配置された第１遮光部材２１ａ、および、複数の第１遮光部材２１ａよりも基体２の端面２Ｃ側に位置しておりかつ列状に複数配置された第２遮光部材２１ｂを有する。なお、第２遮光部材２１ｂの平面視における面積は、第１遮光部材２１ａの平面視における面積よりも小さい。
【００７２】
ここで、平面視して、第２遮光層１１の一部１１ａが位置する領域を、第１遮光層６の第１縁部６ａに沿って３つに領域に等分割し、当該３つの領域を第１遮光層６の第１縁部６ａに近い側がら、第１領域Ａ１、第２領域Ａ２、第３領域Ａ３とする。このとき、第１領域Ａ１には、複数の第１遮光部材２１ａが位置している。第２領域Ａ２には、複数の第２遮光部材２１ｂが位置している。第３領域Ａ３には、遮光部材２１は位置していない。すなわち、第１領域Ａ１、第２領域Ａ２、第３領域Ａ３のそれぞれに位置する複数の遮光部材２１の平面視における総面積は、第１領域Ａ１、第２領域Ａ２、第３領域Ａ３に向かうに従って、小さくなっている。このため、平面視して第２遮光層１１の一部１１ａが位置する領域において、色味を段階的に変化させることができ、第１遮光層６と第２遮光層１１との境界が視認されてしまう可能性をより低減することができる。
【００７３】
なお、変形例１のように、第２遮光部材２１ｂは、部材間領域Ｂ１に隣り合って位置しており、当該部材間領域Ｂ１を挟んで隣り合う第１遮光部材２１ａの平面視における面積よりも小さい面積を有することが好ましい。ここで、部材間領域Ｂ１とは、互いに隣り合う第１遮光部材２１ａの間の領域を指す。第２遮光部材２１ｂが部材間領域Ｂ１に隣り合って位置していると、平面視した場合に、部材間領域Ｂ１に位置する第２遮光層１１の一部１１ａと、当該部材間領域Ｂ１を挟んで隣り合う第１遮光部材２１ａとの境界が視認されてしまう可能性を低減することができる。また、第２遮光部材２１ｂの平面視における面積が、第１遮光部材２１ａの平面視における面積よりも小さいと、平面視した場合に、第２遮光層１１の一部１１ａが位置する領域において、使用者に視認される色味を段階的に変化させることができる。
【００７４】
なお、変形例１において、「第２遮光部材２１ｂが部材間領域Ｂ１に隣り合って位置する」とは、部材間領域Ｂ１を基体２の短辺方向に延長した場合に、当該延長した領域に第２遮光部材２１ｂが位置していることを指す。
【００７５】
［変形例２］
図１０は、変形例２に係る入力装置Ｘ３の概略構成を示す平面図である。図１１は、図１０中に示したＶ−Ｖ線断面図である。なお、図１０および図１１において、図４および図５と同様の機能を有する構成については、同じ参照符号を付記し、その詳細な説明は省略する。また、図１０では、基体２、第１遮光層６、遮光部材３１、および第２遮光層１１のみ図示する。
【００７６】
図１０および図１１に示すように、入力装置Ｘ３では、入力装置Ｘ１が備える遮光部材９の代わりに、遮光部材３１を備えている。遮光部材３１は、非入力領域Ｅ２に対応する基体２の第２主面２Ｂ上に設けられている。遮光部材３１は、第１遮光層６よりも基体２の端面２Ｃ側に位置している。また、遮光部材３１は、第１遮光層６の第１縁部６ａに沿って、入力領域Ｅ１を取り囲むように複数配置されている。
【００７７】
遮光部材３１は、列状に複数配置された第１遮光部材３１ａ、および、複数の第１遮光部材３１ａよりも基体２の端面２Ｃ側に位置しておりかつ列状に複数配置された第２遮光部材３１ｂを有する。
【００７８】
ここで、複数の第２遮光部材３１ｂの厚みＤ１の平均値は、複数の第１遮光部材３１ａの厚みＤ２の平均値よりも小さい。このため、平面視して第２遮光層１１の一部１１ａが位置する領域において、色味を段階的に変化させることができ、第１遮光層６と第２遮光層１１との境界が視認されてしまう可能性をより低減することができる。
【００７９】
なお、複数の第２遮光部材３１ｂの厚みＤ１の平均値とは、複数の第２遮光部材３１ｂの全ての厚みＤ１を平均した値を指すが、これに限らない。複数の第２遮光部材３１ｂの厚みＤ１の平均値は、例えば、複数の第２遮光部材３１ｂのうち、任意に選択した１０個の第２遮光部材３１ｂの厚みＤ１を平均した値とすることもできる。なお、複数の第１遮光部材３１ａの厚みＤ２の平均値についても同様である。
【００８０】
［変形例３］
図１２は、変形例３に係る入力装置Ｘ４の概略構成を示す平面図である。図１３は、図１２中に示したＶＩ−ＶＩ線断面図である。なお、図１２および図１３において、図４および図５と同様の機能を有する構成については、同じ参照符号を付記し、その詳細な説明は省略する。また、図１２では、基体２、第１遮光層４１、遮光部材４２、および第２遮光層１１のみ図示する。
【００８１】
図１２および図１３に示すように、入力装置Ｘ４では、入力装置Ｘ１が備える第１遮光層６の代わりに、第１遮光層４１を備えている。第１遮光層４１は、非入力領域Ｅ２に対応する基体２の第２主面２Ｂ上において、非入力領域Ｅ２を取り囲むように設けられている。第１遮光層４１は、基体２の第２主面２Ｂ側の外縁を含む縁部４１ａを有している。ここで、第１遮光層４１の縁部４１ａは、基体２の端面２Ｃに近づくにつれて厚みが小さくなっている。このため、入力装置Ｘ４では、第１遮光層４１の縁部４１ａにおいて、色味を段階的に変化させることができる。そのため、第１遮光層４１と第２遮光層１１との境界が視認されてしまう可能性をより低減することができる。
【００８２】
また、入力装置Ｘ４では、入力装置Ｘ１が備える遮光部材９の代わりに、遮光部材４２を備えている。遮光部材４２は、非入力領域Ｅ２に対応する基体２の第２主面２Ｂ上に設けられている。遮光部材４２は、第１遮光層４１よりも基体２の端面２Ｃ側に位置している。また、遮光部材４２は、第１遮光層４１の縁部４１ａに沿って、入力領域Ｅ１を取り囲むように複数配置されている。また、遮光部材４２は、第２縁部４２ａおよび当該第２縁部４２ａに取り囲まれた中央部４２ｂを有する。
【００８３】
ここで、遮光部材４２の第２縁部４２ａは、中央部４２ｂに近づくにつれて厚みが大きくなっている。具体的には、遮光部材４２は、断面して、基体２の第２主面２Ｂに近づくにつれて幅広な台形状を有している。このため、入力装置Ｘ４では、遮光部材４２の第２縁部４２ａにおいて、色味を段階的に変化させることができる。このため、平面視した場合における遮光部材４２の外縁が、使用者に視認されてしまう可能性を低減することができる。
【００８４】
なお、入力装置Ｘ４では、遮光部材４２は、断面視して、台形状であるが、これに限らない。遮光部材４２は、断面視して、半円状であってもよい。また、遮光部材４２の第２縁部４２ａの表面は、凸曲面であってもよい。遮光部材４２の第２縁部４２ａの表面が凸曲面であれば、遮光部材４２の第２縁部４２ａに応力が集中にすることによって、遮光部材４２の第２縁部４２ａに剥がれが生じる可能性を低減することができる。
【００８５】
［変形例４］
図１４は、変形例１に係る入力装置Ｘ５の概略構成を示す平面図である。図１５は、図１４中に示したＶＩＩ−ＶＩＩ線断面図である。なお、図１４および図１５において、図
４および図５と同様の機能を有する構成については、同じ参照符号を付記し、その詳細な説明は省略する。また、図１４では、基体２、第１遮光層６、遮光部材９、および第２遮光層１１のみ図示する。
【００８６】
図１２および図１３に示すように、入力装置Ｘ５では、入力装置Ｘ１が備える保護層１０の代わりに、保護層５１を備えている。保護層５１は、保護層５１は、第１遮光層６および遮光部材９を被覆して非入力領域Ｅ２に対応する基体２の第２主面２Ｂ上に設けられている。具体的には、保護層５１は、非入力領域Ｅ２に対応する基体２の第２主面２Ｂ上に位置する第１遮光層６、被覆層７、検出用配線８、および遮光部材９を被覆しており、入力領域Ｅ１に対応する基体２の第２主面２Ｂ上に延在している。延在した保護層５１は、第１検出電極パターン３および第２検出電極パターン４を被覆している。
【００８７】
ここで、入力装置Ｘ５では、基体２の第２主面２Ｂと遮光部材９とがなす角部Ｃ１に位置する保護層５１の厚みＤ３は、遮光部材９上に位置する保護層５１の厚みＤ４よりも大きい。このため、保護層５１の表面に生じる凹凸を緩やかにすることができる。そのため、保護層５１と当該保護層５１上に設けられた第２遮光層１１との間に気泡が介在し、当該気泡が使用者に視認されてしまう可能性を低減することができる。
【００８８】
なお、変形例４における「角部Ｃ１に位置する保護層５１の厚みＤ３」とは、角部Ｃ１から保護層５１の表面までの最短距離を指す。また、変形例４における「遮光部材９上に位置する保護層５１の厚みＤ４」とは、遮光部材９の表面から保護層５１の表面までの最短距離を指す。
【００８９】
［変形例５］
なお、本発明は、上記の実施形態、および変形例１〜４に限定されるものではなく、入力装置Ｘ１〜Ｘ５は、適宜組み合わせてもよい。また、本実施形態では、入力装置Ｘ１を備えた表示装置Ｙ１について説明したが、これに限らず、入力装置Ｘ１に代えて、入力装置Ｘ２〜Ｘ５のいずれかを採用してもよい。また、本実施形態では、入力装置Ｘ１を備えた携帯端末Ｚ１について説明したが、これに限らず、入力装置Ｘ１に代えて、入力装置Ｘ２〜Ｘ５のいずれかを採用してもよい。
【符号の説明】
【００９０】
Ｘ１〜Ｘ５  入力装置
Ｙ１  表示装置
Ｚ１  携帯端末（電子機器）
Ｅ１  入力領域
Ｅ２  非入力領域
Ａ１  第１領域
Ａ２  第２領域
Ａ３  第３領域
Ｂ１  部材間領域
Ｃ１  角部
２  基体
２Ｂ  第２主面（基体の主面）
２Ｃ  基体の端面
３ａ  第１検出電極３ａ
６，４１  第１遮光層
６ａ，４１  第１縁部
８  検出用配線
９，２１，３１，４２  遮光部材
１０，５１  保護層
１１  第２遮光層
１１ａ  第２遮光層の一部
１１ｂ  第２遮光層の残部
２１ａ  第１遮光部材
２１ｂ  第２遮光部材
４２ａ  第２縁部
４２ｂ  中央部
１００  第１筐体（筐体）
３００  表示パネル
【図１】
2014038531.tif 000003
【図２】
2014038531.tif 000004
【図３】
2014038531.tif 000005
【図４】
2014038531.tif 000006
【図５】
2014038531.tif 000007
【図６】
2014038531.tif 000008
【図７】
2014038531.tif 000009
【図８】
2014038531.tif 000010
【図９】
2014038531.tif 000011
【図１０】
2014038531.tif 000012
【図１１】
2014038531.tif 000013
【図１２】
2014038531.tif 000014
【図１３】
2014038531.tif 000015
【図１４】
2014038531.tif 000016
【図１５】
2014038531.tif 000017